(57)【要約】【課題】操作部材の回転操作による電源の切り換えが不良となる可能性を低減する。【解決手段】撮像装置（10）は、レンズ鏡筒（41）と同心円状に設けられた操作部材（50）を回転操作することにより電源のオンとオフを切り換える。操作部材（50）には、電源用接点（50a）が設けられている。電源スイッチ（80）は、電源用接点（50a）が当接または離間することで電源のオンとオフを切り換える。制御基板（70）には、電源スイッチ（80）が設けられている。筐体（20）は、撮像装置（10）の外殻を構成し、レンズ鏡筒（41）と制御基板（70）を収納する。円形状の板状部材（31）は、筐体（20）と別体に構成され、操作部材（50）の周囲に設けられる。制御基板（70）は、板状部材（31）に固定される。【選択図】図２
2018180247.tif 000002
【特許請求の範囲】
【請求項１】
レンズ鏡筒と同心円状に設けられた円形状の操作部材を回転操作することにより電源のオンとオフを切り換える撮像装置であって、
前記操作部材に設けられた電源用接点と、
前記電源用接点が当接または離間することで電源のオンとオフを切り換える電源スイッチと、
少なくとも前記電源スイッチが設けられた制御基板と、
前記撮像装置の外殻を構成し、前記レンズ鏡筒と前記制御基板とを収納する筐体と、
前記筐体と別体に構成され、前記操作部材の周囲に設けられる円形状の板状部材とを備え、
前記制御基板は、前記板状部材に固定されている
ことを特徴とする撮像装置。
【請求項２】
請求項１において、
前記板状部材は、前記操作部材の周囲を囲う円環状に形成されている
ことを特徴とする撮像装置。
【請求項３】
請求項２において、
前記板状部材は、径方向における断面が略凹状の湾曲断面で形成されている
ことを特徴とする撮像装置。
【請求項４】
請求項１〜３のいずれか１項において、
前記板状部材は、材質の異なる二層で構成されており、外面側の層が内面側の層よりも柔らかい層となっている
ことを特徴とする撮像装置。
【発明の詳細な説明】
【技術分野】
【０００１】
ここに開示する技術は、撮像装置に関する。
【背景技術】
【０００２】
従来、撮像装置が知られている。例えば、特許文献１には、被写体までの距離に対応した複数のゾーンにピントが合うように撮像レンズを移動するゾーン切替え機構を備えたゾーンフォーカス方式のカメラが開示されている。このカメラには、ゾーン切替え機構の切替え操作部材の操作に連動して電源のオン・オフを行う電源スイッチが設けられている。具体的には、切替え操作部材は、撮像レンズを保持するレンズ鏡筒の外周で回転自在とされたゾーン切替えリングであり、電源スイッチは、ゾーン切替えリングと一体に回転する金属接片と、ゾーン切替えリングの回転位置に応じて金属接片に接触して導通されるスイッチ基板とからなる。
【先行技術文献】
【特許文献】
【０００３】
【特許文献１】特開平１０−２０３９３号公報
【発明の概要】
【発明が解決しようとする課題】
【０００４】
特許文献１のような撮像装置では、撮像装置の動作を制御するための部品（制御部品）が制御基板に搭載され、その制御基板が筐体の内側に固定される構成が一般的である。また、筐体の内側には撮像装置のさまざまな構成部品を固定するための構造（例えばボス部など）が多数設けられているので、筐体の内側は複雑な形状となっている。そのため、筐体の内側に固定された部品の位置管理を精度良く行うことが困難となっている。
【０００５】
ところで、特許文献１に示された撮像装置において、筐体内部の構成を簡素化するために、スイッチ基板を設ける代わりに、スイッチ基板の役割を担うスイッチ部品を筐体の内側に固定された制御基板に搭載し、ゾーン切替えリング（操作部材）の回転操作によってゾーン切替えリングと一体に回転する金属接片（電源用接点）と制御基板に搭載されたスイッチ部品（電源スイッチ）とを接触または離間させることで電源のオンとオフを切り換えるように構成することが考えられる。しかしながら、電源スイッチが搭載された制御基板を筐体の内側に固定する構成では、制御基板の位置管理を精度良く行うことが困難であるので、電源用接点と電源スイッチとの接触不良が生じて操作部材の回転操作による電源の切り換えを正常に行うことができなくなるおそれがある。
【０００６】
そこで、ここに開示する技術は、操作部材の回転操作による電源の切り換えが不良となる可能性を低減することが可能な撮像装置を提供することを目的とする。
【課題を解決するための手段】
【０００７】
ここに開示する技術は、レンズ鏡筒と同心円状に設けられた円形状の操作部材を回転操作することにより電源のオンとオフを切り換える撮像装置に関し、この撮像装置は、前記操作部材に設けられた電源用接点と、前記電源用接点が当接または離間することで電源のオンとオフを切り換える電源スイッチと、少なくとも前記電源スイッチが設けられた制御基板と、前記撮像装置の外殻を構成し、前記レンズ鏡筒と前記制御基板とを収納する筐体と、前記筐体と別体に構成され、前記操作部材の周囲に設けられる円形状の板状部材とを備えている。そして、前記制御基板は、前記板状部材に固定されている。
【０００８】
前記の構成では、電源スイッチが設けられた制御基板が筐体と別体に構成された円形状の板状部材に固定されている。なお、円形状の板状部材は、撮像装置のさまざまな構成部品を固定するための構造（例えばボス部など）が多数設けられる筐体よりも、位置管理を容易に行うことができる。したがって、制御基板を板状部材に固定することにより、制御基板を筐体に固定する場合よりも、操作部材の電源用接点と電源スイッチとの位置管理を精度良く行うことができる。これにより、操作部材の電源用接点と電源スイッチとの位置ずれによる接触不良を発生させにくくすることができるので、操作部材の回転操作による電源の切り換えが不良となる可能性を低減することができる。
【０００９】
前記板状部材は、前記操作部材の周囲を囲う円環状に形成されていてもよい。
【００１０】
前記の構成では、板状部材を円環状に形成することにより、板状部材の中央部分にレンズ鏡筒などの構成部品を配置するための空間を確保することができる。
【００１１】
前記板状部材は、径方向における断面が略凹状の湾曲断面で形成されていてもよい。
【００１２】
前記の構成では、板状部材の径方向における断面を略凹状の湾曲断面で形成することにより、板状部材の径方向における断面が湾曲していない場合（すなわち板状部材が平板状となっている場合）よりも、板状部材の剛性を向上させることができる。これにより、板状部材における位置管理（操作部材の電源用接点と電源スイッチとの位置管理）の精度を向上させることができる。
【００１３】
前記板状部材は、材質の異なる二層で構成されていてもよく、外面側の層が内面側の層よりも柔らかい層となっていてもよい。
【００１４】
前記の構成では、板状部材のグリップ性（握りやすさ）を向上させることができる。これにより、板状部材をグリップ部として兼用することができる。
【発明の効果】
【００１５】
ここに開示する技術によれば、操作部材の回転操作による電源の切り換えが不良となる可能性を低減することができる。
【図面の簡単な説明】
【００１６】
【図１】撮像装置の外観を例示する斜視図である。
【図２】撮像装置の構成を例示する分解斜視図である。
【図３】電源ダイヤルホルダの構成を例示する斜視図である。
【図４】筐体後部が取り外された撮像装置の構成を例示する平面図である。
【図５】筐体後部と制御基板とレンズユニットが取り外された撮像装置の構成を例示する平面図である。
【図６】筐体後部と制御基板とレンズユニットと電源ダイヤルホルダが取り外された撮像装置の構成を例示する平面図である。
【図７】図４のVII−VII線における撮像装置の断面を例示する断面図である。
【図８】図４のVIII−VIII線における撮像装置の断面を例示する断面図である。
【図９】電源ダイヤルホルダの押し子と電源スイッチを示した部分平面図である。
【図１０】電源ダイヤルの回転操作について説明するための平面図である。
【図１１】電源ダイヤルの回転操作について説明するための部分平面図である。
【発明を実施するための形態】
【００１７】
以下、実施の形態を図面を参照して詳しく説明する。なお、図中同一または相当部分には同一の符号を付しその説明は繰り返さない。
【００１８】
（撮像装置）
図１および図２は、実施形態による撮像装置１０の構成を例示している。この撮像装置１０は、被写体を撮像して被写体の撮像画像を取得するものであり、筐体２０と、板状部材３１と、補助板状部材３２と、レンズ鏡筒４１を有するレンズユニット４０と、電源ダイヤル５１（第１可動部材）と、電源ダイヤルホルダ５２（第２可動部材）と、化粧リング６０と、制御基板７０と、電源スイッチ８０とを備えている。この例では、板状部材３１と補助板状部材３２とが支持板部材３０を構成し、電源ダイヤル５１と電源ダイヤルホルダ５２とが操作部材５０を構成している。
【００１９】
この撮像装置１０は、レンズ鏡筒４１と同心円状に設けられた円形状の操作部材５０を回転操作することにより電源のオンとオフを切り換えるように構成されている。操作部材５０には、電源用接点５０ａが設けられている。電源スイッチ８０は、電源用接点５０ａが当接または離間することで電源のオンとオフを切り換えるように構成されている。制御基板７０には、少なくとも電源スイッチ８０が設けられている。筐体２０は、撮像装置１０の外殻を構成し、レンズ鏡筒４１を有するレンズユニット４０と制御基板７０とを収納する。円形の板状部材３１は、筐体２０とは別体に構成され、操作部材５０の周囲に設けられている。そして、板状部材３１には、制御基板７０が固定されている。
【００２０】
この例では、撮像装置１０は、ダイヤル操作（電源ダイヤル５１の回転操作）により電源のオンとオフを切り換えるように構成されている。また、撮像装置１０は、被写体を撮像して取得された被写体の撮像画像を内部に設けられた記憶部（図示を省略）に記憶するように構成されている。例えば、撮像装置１０は、デジタルカメラを構成している。
【００２１】
次に、図１〜図９を参照して、撮像装置１０の構成について詳しく説明する。なお、以下の説明において、「前」「後」などの方向は、撮像装置１０のレンズ鏡筒４１を正面にして見た場合の方向を示している。また、撮像装置１０には、撮像装置１０の動作を制御するための部品（例えばＣＰＵやメモリなどの制御系の部品や電池などの電源系の部品など）が搭載されているが、ここでは、その詳細な説明を省略している。
【００２２】
また、図３は、電源ダイヤルホルダ５２を背面側から見た斜視図であり、図４は、筐体２０の後部が取り外された撮像装置１０を背面側から見た平面図であり、図５は、筐体２０の後部と制御基板７０とレンズユニット４０が取り外された撮像装置１０を背面側から見た平面図であり、図７は、筐体２０の後部と制御基板７０とレンズユニット４０と電源ダイヤルホルダ５２が取り外された撮像装置１０を背面側から見た平面図である。
【００２３】
〔筐体〕
筐体２０は、撮像装置１０の外殻を構成している。この例では、筐体２０は、前後に扁平な直方体状に形成されている。具体的には、この例では、筐体２０は、筐体２０の前部を構成する筐体前部２１と、筐体２０の後部を構成する筐体後部２２とを有し、筐体前部２１と筐体後部２２とが互いに嵌め合わされて固定されている。この例では、筐体２０（筐体前部２１および筐体後部２２）は、樹脂によって構成されている。すなわち、筐体２０は、射出成形などによって製造された樹脂成形品である。
【００２４】
なお、筐体２０の内側には撮像装置１０のさまざまな部品（例えばシャッタボタンやフラッシュなど）を固定するための構造（例えばボス部や開口など）が多数設けられているが、ここでは、それらの説明を省略している。
【００２５】
〈装着口〉
この例では、筐体２０の前壁部（具体的には筐体前部２１の前壁部）の中央部には、装着口２５が設けられている。装着口２５は、円形状に形成されて筐体２０の前壁部の中央部を貫通している。
【００２６】
〈筐体ボス部〉
また、この例では、筐体２０の前壁部（具体的には筐体前部２１の前壁部）の背面側には、筐体ボス部２６が設けられている。筐体ボス部２６は、制御基板７０が補助的に固定されて制御基板７０を補助的に支持するように構成されている。
【００２７】
〔支持板部材（板状部材と補助板状部材）〕
支持板部材３０を構成する板状部材３１と補助板状部材３２は、筐体２０とは別体に構成されている。この例では、板状部材３１と補助板状部材３２は、樹脂によって構成されている。すなわち、板状部材３１と補助板状部材３２は、射出成形などによって製造された樹脂成形品である。
【００２８】
また、この例では、板状部材３１は、円環状（中央部に円形状の開口が形成された円形の板状）に形成されている。そして、板状部材３１は、筐体２０の装着口２５に装着されている。具体的には、板状部材３１は、その外周縁が筐体２０の装着口２５に嵌合する形状に形成され、筐体２０の装着口２５に嵌め込まれて固定されている。このように、板状部材３１を円環状に形成することにより、板状部材３１の中央部分にレンズ鏡筒４１などの構成部品を配置するための空間を確保することができる。
【００２９】
また、この例では、補助板状部材３２は、円形の板状に形成されている。そして、補助板状部材３２は、板状部材３１の内周に配置されて固定されている。具体的には、補助板状部材３２は、板状部材３１と一体に形成されている。すなわち、この例では、板状部材３１と補助板状部材３２とが一体に形成されて支持板部材３０が構成されている。支持板部材３０は、円形の板状に形成され、板状部材３１は、支持板部材３０の外周側の部分を構成し、補助板状部材３２は、支持板部材３０の内周側の部分を構成している。
【００３０】
〈挿通口〉
支持板部材３０（この例では補助板状部材３２）の中央部には、挿通口３５が設けられている。挿通口３５は、円形状に形成されて支持板部材３０の中央部を貫通している。この例では、挿通口３５は、レンズユニット４０のレンズ鏡筒４１の外形に対応した円形状に形成され、レンズ鏡筒４１が挿通される。
【００３１】
〈スライド開口〉
支持板部材３０（この例では補助板状部材３２）には、第１スライド開口３６ａと、第２スライド開口３６ｂと、第３スライド開口３６ｃが設けられている。第１スライド開口３６ａと第２スライド開口３６ｂと第３スライド開口３６ｃは、それぞれが支持板部材３０の挿通口３５の軸心を中心とする円弧状に形成され、支持板部材３０の挿通口３５の周囲を囲うように配置されている。
【００３２】
〈固定ボス部〉
支持板部材３０の背面側には、複数の固定ボス部（この例では第１固定ボス部３７ａと第２固定ボス部３７ｂと第３固定ボス部３７ｃと第４固定ボス部３７ｄと第５固定ボス部３７ｅ）が設けられている。この例では、第１固定ボス部３７ａと第２固定ボス部３７ｂが板状部材３１の背面側に設けられ、第３固定ボス部３７ｃと第４固定ボス部３７ｄと第５固定ボス部３７ｅが補助板状部材３２の背面側に設けられている。以下の説明では、第１〜第５固定ボス部３７ａ〜３７ｅの総称を「固定ボス部３７」と記載する。固定ボス部３７は、制御基板７０が固定されて制御基板７０を支持するように構成されている。
【００３３】
〈板状部材の構成〉
また、この例では、板状部材３１は、径方向における断面が略凹状の湾曲断面で形成されている。具体的には、板状部材３１の径方向における断面は、板状部材３１の厚み方向の一方側から他方側（この例では前面側から背面側）へ向けて凸となるように湾曲している。
【００３４】
また、板状部材３１は、材質の異なる二層で構成されており、外面側の層が内面側の層よりも柔らかい層となっている。具体的には、板状部材３１は、板状部材３１の内面側（この例では背面側）の部分を構成する第１板状部３１ａと、板状部材３１の外面側（この例では前面側）の部分を構成する第２板状部３１ｂとを有している。そして、第２板状部３１ｂは、第１板状部３１ａよりも柔らかくなっている。この例では、第１板状部３１ａは、樹脂によって構成され、第２板状部３１ｂは、第１板状部３１ａを構成する材料よりも柔らかい材料（例えばエラストマ）によって構成されている。そして、第１板状部３１ａは、補助板状部材３２と一体に形成され、第２板状部３１ｂは、第１板状部３１ａに重ねられて固着されている。
【００３５】
〔レンズユニット〕
レンズユニット４０は、被写体を撮像するための部品であり、筐体２０の内部に収納されている。レンズユニット４０のレンズ鏡筒４１は、支持板部材３０の挿通口３５に挿通されている。すなわち、レンズユニット４０は、レンズ鏡筒４１が支持板部材３０の挿通口３５に挿通された状態で筐体２０の内部に収納されている。
【００３６】
また、レンズユニット４０は、支持板部材３０（この例では補助板状部材３２）の背面側に固定されている。この例では、レンズユニット４０は、レンズ鏡筒４１の他に、基台部４２を有している。基台部４２は、板状に形成され、レンズ鏡筒４１の軸方向の端部（後端部）が接続されて固定されている。そして、レンズユニット４０の基台部４２が補助板状部材３２の背面側にネジ止めされて固定されている。
【００３７】
〔電源ダイヤル（第１可動部材）〕
電源ダイヤル５１は、筐体２０の前方に配置されてレンズ鏡筒４１の外周に回転可能に装着されている。例えば、電源ダイヤル５１は、アルミニウムなどの金属によって構成されている。
【００３８】
この例では、電源ダイヤル５１は、円環状（中央部に円形状の開口が形成された円形の板状）に形成されている。電源ダイヤル５１の内周縁は、レンズ鏡筒４１の外形に対応した円形状に形成されている。そして、電源ダイヤル５１にレンズ鏡筒４１が内嵌されて電源ダイヤル５１がレンズ鏡筒４１を軸として回転可能となっている。
【００３９】
この例では、電源ダイヤル５１は、回転操作により回転位置を電源オン位置と電源オフ位置とに切り換え可能となっている。また、電源ダイヤル５１には、電源ダイヤル５１の現在の回転位置を識別するための目印（回転位置目印５００）が設けられている。
【００４０】
〔電源ダイヤルホルダ（第２可動部材）〕
電源ダイヤルホルダ５２は、筐体２０の内部に収納されている。そして、電源ダイヤルホルダ５２は、電源ダイヤル５１の回転操作に連動して回転するように構成されている。この例では、電源ダイヤルホルダ５２は、樹脂によって構成されている。すなわち、電源ダイヤルホルダ５２は、射出成形などによって製造された樹脂成形品である。
【００４１】
この例では、電源ダイヤルホルダ５２は、円環状（中央部に円形状の開口が形成された円形の板状）に形成されている。電源ダイヤルホルダ５２の内周縁は、補助板状部材３２の挿通口３５の開口縁よりも大きい円形状に形成されている。電源ダイヤルホルダ５２の外周縁は、板状部材３１の内周縁よりも小さい円形状に形成されている。そして、電源ダイヤルホルダ５２にレンズ鏡筒４１が挿通されている。
【００４２】
また、この例では、電源ダイヤルホルダ５２は、筐体２０の内部において支持板部材３０とレンズユニット４０との間に配置されている。
【００４３】
〈押し子（接点部）〉
また、電源ダイヤルホルダ５２は、押し子５５（接点部）を有している。この例では、押し子５５は、電源ダイヤルホルダ５２の内周縁部の背面側に突設されている。なお、押し子５５は、操作部材５０の電源用接点５０ａを構成している。
【００４４】
〈連結ボス部〉
また、電源ダイヤルホルダ５２には、第１連結ボス部５６ａと、第２連結ボス部５６ｂと、第３連結ボス部５６ｃが設けられている。第１連結ボス部５６ａと第２連結ボス部５６ｂと第３連結ボス部５６ｃは、支持板部材３０（この例では補助板状部材３２）の第１スライド開口３６ａと第２スライド開口３６ｂと第３スライド開口３６ｃにそれぞれ挿入された状態で、電源ダイヤル５１の背面側に固定（この例ではネジ止めされて固定）されている。このような構成により、電源ダイヤル５１の回転操作に連動して電源ダイヤルホルダ５２が回転するようになっている。
【００４５】
〔化粧リング〕
化粧リング６０は、電源ダイヤル５１の外周縁に沿う円環状に形成され、電源ダイヤル５１と支持板部材３０との間に配置されるように支持板部材３０（この例では補助板状部材３２）の前面側に固定されている。
【００４６】
また、化粧リング６０には、電源ダイヤル５１の電源オン位置を識別するための目印（オン位置目印６０１）と、電源ダイヤル５１の電源オフ位置を識別するための目印（オフ位置目印６０２）とが設けられている。オン位置目印６０１は、電源ダイヤル５１の回転位置が電源オン位置となっている場合に電源ダイヤル５１の回転位置目印５００と対向する位置に設けられ、オフ位置目印６０２は、電源ダイヤル５１の回転位置が電源オフ位置となっている場合に電源ダイヤル５１の回転位置目印５００と対向する位置に設けられている。
【００４７】
〔制御基板〕
制御基板７０は、筐体２０の内部に収納されている。そして、制御基板７０は、支持板部材３０（板状部材３１と補助板状部材３２）の背面側に固定されている。具体的には、制御基板７０は、支持板部材３０の背面側に設けられた複数の固定ボス部３７にネジ止めされて固定されている。
【００４８】
この例では、制御基板７０は、筐体２０の内部においてレンズユニット４０の後方に配置されている。すなわち、筐体２０の内部では、前方から後方へ向けて支持板部材３０と電源ダイヤルホルダ５２とレンズユニット４０と制御基板７０とが順に配置されている。
【００４９】
また、この例では、制御基板７０は、筐体２０の前壁部（この例では筐体前部２１の前壁部）の背面側に補助的に固定されている。具体的には、制御基板７０は、筐体前部２１の前壁部の背面側に設けられた筐体ボス部２６にネジ止めされて固定されている。
【００５０】
〈制御部品〉
制御基板７０には、制御部品７１が搭載されている。制御部品７１は、撮像装置１０の動作を制御するための部品である。例えば、制御部品７１は、半導体チップなどによって構成されている。この例では、制御部品７１は、制御基板７０の前面（電源ダイヤルホルダ５２と対向する面）に搭載されている。
【００５１】
〔電源スイッチ〕
電源スイッチ８０は、制御基板７０に搭載されている。そして、電源スイッチ８０は、電源用接点５０ａが当接または離間することで電源のオンとオフを切り換えるように構成されている。具体的には、電源スイッチ８０は、電源ダイヤル５１の揺動に連動して揺動する電源ダイヤルホルダ５２の押し子５５が接触することでオン状態となり、電源ダイヤル５１の揺動に連動して揺動する電源ダイヤルホルダ５２の押し子５５が離間することでオフ状態となるように構成されている。撮像装置１０は、電源スイッチ８０がオン状態となることで電源がオンとなり、電源スイッチ８０がオフ状態となることで電源がオフとなるように構成されている。
【００５２】
この例では、電源スイッチ８０は、制御基板７０の前面（電源ダイヤルホルダ５２と対向する面）に搭載されている。また、この例では、電源スイッチ８０は、本体部から突出するレバー８１を有し、電源ダイヤルホルダ５２の押し子５５によりレバー８１が電源スイッチ８０の本体部内に押し込まれることでオン状態となり、電源ダイヤルホルダ５２の押し子５５によるレバー８１の押し込みが解除されてレバー８１が電源スイッチ８０の本体部から突出した状態に戻ることでオフ状態となるように構成されている。
【００５３】
〔位置設定〕
この撮像装置１０では、電源ダイヤル５１の回転位置が電源オン位置となっている場合に電源ダイヤルホルダ５２の押し子５５が電源スイッチ８０と接触して電源スイッチ８０がオン状態となり、電源ダイヤル５１の回転位置が電源オフ位置となっている場合に電源ダイヤルホルダ５２の押し子５５が電源スイッチ８０から離間して電源スイッチ８０がオフ状態となるように、レンズユニット４０と電源ダイヤル５１と電源ダイヤルホルダ５２と制御基板７０と電源スイッチ８０の位置が設定されている。なお、これらの部品の位置は、支持板部材３０を基準として設定されている。
【００５４】
〔回転操作による電源の切り換え〕
次に、図１０，図１１を参照して、操作部材５０（電源ダイヤル５１）の回転操作による撮像装置１０の電源のオンとオフの切り換えについて説明する。
【００５５】
電源ダイヤル５１の回転操作により電源ダイヤル５１が電源オフ位置から電源オン位置に揺動すると、電源ダイヤル５１の揺動に連動して電源ダイヤルホルダ５２が揺動し、電源ダイヤルホルダ５２の押し子５５が周方向（図１０における反時計回りの方向）に移動して電源スイッチ８０と接触する。具体的には、図１１に示すように、電源スイッチ８０へ向けて周方向に移動してきた押し子５５が電源スイッチ８０のレバー８１と接触してレバー８１を電源スイッチ８０の本体部内に押し込む。これにより、電源スイッチ８０がオフ状態からオン状態となり、撮像装置１０の電源がオフからオンとなる。
【００５６】
また、電源ダイヤル５１の回転操作により電源ダイヤル５１が電源オン位置から電源オフ位置に揺動すると、電源ダイヤル５１の揺動に連動して電源ダイヤルホルダ５２が揺動し、電源ダイヤルホルダ５２の押し子５５が周方向（図１０における時計回りの方向）に移動して電源スイッチ８０から離間する。具体的には、レバー８１を電源スイッチ８０の本体部内に押し込んでいた押し子５５が周方向に移動してレバー８１から離間して押し子５５によるレバー８１の押し込みが解除され、レバー８１が電源スイッチ８０の本体部から突出した状態（図１１の破線で示された状態）に戻る。これにより、電源スイッチ８０がオン状態からオフ状態となり、撮像装置１０の電源がオンからオフとなる。
【００５７】
〔実施形態による効果〕
以上のように、この撮像装置１０では、電源スイッチ８０が設けられた制御基板７０が筐体２０と別体に構成された円形状の板状部材３１に固定されている。なお、円形状の板状部材３１は、撮像装置１０のさまざまな構成部品を固定するための構造（例えばボス部など）が多数設けられる筐体２０よりも、位置管理を容易に行うことができる。したがって、制御基板７０を板状部材３１に固定することにより、制御基板７０を筐体２０に固定する場合よりも、操作部材５０の電源用接点５０ａと電源スイッチ８０との位置管理を精度良く行うことができる。これにより、操作部材５０の電源用接点５０ａと電源スイッチ８０との位置ずれによる接触不良を発生させにくくすることができるので、操作部材５０の回転操作による電源の切り換えが不良となる可能性を低減することができる。
【００５８】
具体的には、この例では、支持板部材３０の挿通口３５にレンズ鏡筒４１が挿通された状態でレンズユニット４０が支持板部材３０の背面側に固定され、レンズ鏡筒４１の外周に電源ダイヤル５１が回転可能に装着され、電源ダイヤル５１の回転操作に連動して回転するように電源ダイヤルホルダ５２（押し子５５を有する電源ダイヤルホルダ５２）が構成されて筐体２０の内部に収納されている。また、支持板部材３０の背面側に制御基板７０が固定され、制御基板７０に電源スイッチ８０が搭載されている。このような構成により、支持板部材３０において電源ダイヤルホルダ５２の押し子５５と制御基板７０に搭載された電源スイッチ８０との位置管理を行うことができる。なお、円形の板状に形成された支持板部材３０は、筐体２０よりも簡素な形状であり、筐体２０よりも位置管理を精度良く行うことができる。したがって、支持板部材３０において電源ダイヤルホルダ５２の押し子５５と制御基板７０に搭載された電源スイッチ８０との位置管理を精度良く行うことができる。これにより、電源ダイヤルホルダ５２の押し子５５と電源スイッチ８０との位置ずれによる接触不良を発生させにくくすることができるので、電源ダイヤル５１の回転操作による電源の切り換えが不良となる可能性を低減することができる。
【００５９】
また、この撮像装置１０では、板状部材３１の径方向における断面は、略凹状の湾曲断面で構成されている。具体的には、板状部材３１の径方向における断面は、板状部材３１の厚み方向の一方側から他方側（この例では前面側から背面側）へ向けて凸となるように湾曲している。このような構成により、板状部材３１の径方向における断面が湾曲していない場合（すなわち板状部材３１が平板状となっている場合）よりも、板状部材３１の剛性を向上させることができるので、板状部材３１における位置管理（操作部材５０の電源用接点５０ａと電源スイッチ８０との位置管理）の精度を向上させることができる。
【００６０】
また、この撮像装置１０では、板状部材３１は、材質の異なる二層で構成されており、外面側の層が内面側の層よりも柔らかい層となっている。具体的には、板状部材３１は、板状部材３１の内面側（この例では背面側）の部分を構成する第１板状部３１ａと、板状部材３１の外面側（この例では前面側）の部分を構成する第２板状部３１ｂとを有し、第２板状部３１ｂは、第１板状部３１ａよりも柔らかくなっている。このような構成により、板状部材３１のグリップ性（握りやすさ）を向上させることができる。これにより、板状部材３１をグリップ部として兼用することができる。
【００６１】
（その他の実施形態）
また、以上の実施形態を適宜組み合わせて実施してもよい。以上の実施形態は、本質的に好ましい例示であって、ここに開示する技術、その適用物、あるいはその用途の範囲を制限することを意図するものではない。
【産業上の利用可能性】
【００６２】
以上説明したように、ここに開示する技術は、撮像装置として有用である。
【符号の説明】
【００６３】
１０        撮像装置
２０        筐体
２１        筐体前部
２２        筐体後部
２５        装着口
２６        筐体ボス部
３０        支持板部材
３１        板状部材
３１ａ      第１板状部
３１ｂ      第２板状部
３２        補助板状部材
３５        挿通口
３６ａ      第１スライド開口
３６ｂ      第２スライド開口
３６ｃ      第３スライド開口
３７ａ      第１固定ボス部
３７ｂ      第２固定ボス部
３７ｃ      第３固定ボス部
３７ｄ      第４固定ボス部
３７ｅ      第５固定ボス部
４０        レンズユニット
４１        レンズ鏡筒
４２        基台部
５０        操作部材
５０ａ      電源用接点
５１        電源ダイヤル（第１可動部材）
５２        電源ダイヤルホルダ（第２可動部材）
５５        押し子（接点部）
５６ａ      第１連結ボス部
５６ｂ      第２連結ボス部
５６ｃ      第３連結ボス部
６０        化粧リング
７０        制御基板
７１        制御部品
８０        電源スイッチ
８１        レバー
【図１】
2018180247.tif 000003
【図２】
2018180247.tif 000004
【図３】
2018180247.tif 000005
【図４】
2018180247.tif 000006
【図５】
2018180247.tif 000007
【図６】
2018180247.tif 000008
【図７】
2018180247.tif 000009
【図８】
2018180247.tif 000010
【図９】
2018180247.tif 000011
【図１０】
2018180247.tif 000012
【図１１】
2018180247.tif 000013